(57)【要約】【課題】光源を光源保持ホルダにかしめ固定する際の、取付座面の位置ずれを抑えた光源保持ホルダ、レーザ走査光学装置、及び画像形成装置を提供する。【解決手段】光源保持ホルダ２０において、凸状部２３〜２５を、各凸状部２３〜２５と挿入孔２１の中心Ｃとを囲う領域Ｓ１〜Ｓ３と、各突起部３１〜３３と中心Ｃとを囲う領域Ｔ１〜Ｔ３と、が相互に重なり合わない位置に配設されるように構成した。【選択図】図７
2012108329.tif 000002
【特許請求の範囲】
【請求項１】
光源を保持する光源保持ホルダであって、
本体部と、
前記本体部を貫き前記光源を挿入するための挿入孔と、
上面に凸状の凸状部を有し、前記挿入孔に挿入された光源の光軸方向における位置決め用の座面部と、
前記本体部の上面における前記挿入孔の縁近傍に突設され、押圧することにより前記挿入孔に挿入された光源の上面に被さるように塑性変形する突部と、
を備え、
前記凸状部は、前記本体部の上面視で、当該凸状部と前記挿入孔の中心とを囲う領域と、前記突部と前記挿入孔の中心とを囲う領域と、が重なり合わない位置に配設されることを特徴とする光源保持ホルダ。
【請求項２】
請求項１に記載の光源保持ホルダであって、
前記治具による押圧に起因した前記凸状部への応力の影響を軽減させるための溝を備えることを特徴とする光源保持ホルダ。
【請求項３】
請求項２に記載の光源保持ホルダであって、
前記溝は、前記座面部における前記凸状部の周囲に形成されることを特徴とする光源保持ホルダ。
【請求項４】
請求項２に記載の光源保持ホルダであって、
前記溝は、前記突部の周面を取り囲むように形成されることを特徴とする光源保持ホルダ。
【請求項５】
請求項２に記載の光源保持ホルダであって、
前記溝は、前記突部の一部に形成されることを特徴とする光源保持ホルダ。
【請求項６】
半導体レーザ光を出射可能な光源を保持する請求項１〜５の何れか１項に記載の光源保持ホルダと、
前記光源より出射される半導体レーザ光を平行光化する第一の光学系と、
前記第一の光学系により平行光化された半導体レーザ光を副走査方向について収束光に変換する第二の光学系と、
前記第二の光学系により収束光に変換された半導体レーザ光を偏向する偏向器と、
前記偏向器にて偏向された半導体レーザ光を感光体上に集光する第三の光学系と、
を備えることを特徴とするレーザ走査光学装置。
【請求項７】
請求項６に記載のレーザ走査光学装置を備えたことを特徴とする画像形成装置。
【発明の詳細な説明】
【技術分野】
【０００１】
本発明は、光源保持ホルダ、レーザ走査光学装置、及び画像形成装置に関する。
【背景技術】
【０００２】
従来、レーザプリンタや複写機等の画像形成装置には、光源保持ホルダに保持された光源より出射される半導体レーザを用いて、感光体を走査するためのレーザ走査光学装置が備わる。当該レーザ走査光学装置は、画像形成装置による画像形成処理を高速化又は、高密度化するために、マルチビーム方式における（複数の光源を用いて半導体レーザが感光体を同時に走査する上での）ビーム本数を増加させる、又は、感光体を露光するビーム径を小径化する、等の手法がとられている。
【０００３】
このような手法を行う上で、マルチビーム方式におけるビーム本数を増加させるにつれてビーム相互間の相対位置（ビームピッチ）の位置決めが重要になり、ビーム径を小径化させるにつれてビーム径の変化量の抑制が重要となる。そのため、レーザ走査光学装置では、ビーム相互間の相対位置やビーム径に対する誤差への感度が非常に高い光源を、どのように光源保持ホルダに固定させるかが肝要である。
【０００４】
例えば、光源を固定する手法としては、光源保持ホルダに形成された挿入孔に光源を挿入した状態で、光源を光源保持ホルダにネジ止めする、板ばねにより光源を光源保持ホルダへ押圧する、光源を光源保持ホルダへ圧入する、光源を光源保持ホルダにレーザ溶接する、等がある。
しかしながら、ネジ止めの手法では、締め付けトルクのバラツキが避けられないため、外力による振動等でネジに緩みが生じるおそれがある。また、押圧の手法では、部品点数が増加するにつれて板ばねのばね定数にバラツキが生じることで、押圧力にもバラツキが生じて信頼性が低下するおそれがある。また、圧入の手法では、光源の外周部の寸法公差幅が比較的大きいため、挿入孔の孔径の基準寸法を小さめにする必要があるので、光源保持ホルダの材質として弾性変形し易い樹脂材等の制限をもたらすおそれがある。また、レーザ溶接の手法では、光源を光源保持ホルダに確実に保持することが期待できるが、光源保持ホルダの位置決め等に手間がかかる、溶接設備の設置にコストがかさむ、などのおそれがある。
そのため、上記のような問題点を思慮に入れると、光源保持ホルダに設けたリベットを押圧して光源の上面に被さるように塑性変形させる等によって、光源を光源保持ホルダにかしめ固定する手法が考えられる。
【０００５】
そこで、例えば、ポリゴンミラーをフランジ部材の取付座面に取り付け、フランジ部材の突起部をかしめ型を用いて外方かしめ継ぎにより塑性変形させることで、ポリゴンミラーをフランジ部材に固定するポリゴンスキャナ駆動装置が知られている（特許文献１参照）。ここで、フランジ部材の取付座面は鉛直方向における突起部に近接した位置（突起部の略真下位置）に設けられている。
【先行技術文献】
【特許文献】
【０００６】
【特許文献１】特開平９−２３０２６８号公報
【発明の概要】
【発明が解決しようとする課題】
【０００７】
しかしながら、特許文献１記載の発明を、光源を光源保持ホルダにかしめ固定する手法に用いる場合、半導体レーザを出射する光源が小さな素子であることを考慮すると、突起部と近接した位置にある取付座面は、光源保持ホルダの突起部をかしめて塑性変形させる際に生じる応力の影響で、位置ずれを生じるおそれがある。つまり、特許文献１記載の発明を用いる場合、取付座面の位置ずれによって、光源より出射される半導体レーザの光軸が理想的な位置からずれてしまうため、レーザ走査光学装置の光量低下や光学性能悪化をもたらすという問題があった。
【０００８】
そこで、本発明の課題は、光源を光源保持ホルダにかしめ固定する際の、取付座面の位置ずれを抑えた光源保持ホルダ、レーザ走査光学装置、及び画像形成装置を提供することである。
【課題を解決するための手段】
【０００９】
以上の課題を解決するため、請求項１に記載の発明は、光源を保持する光源保持ホルダであって、本体部と、前記本体部を貫き前記光源を挿入するための挿入孔と、上面に凸状の凸状部を有し、前記挿入孔に挿入された光源の光軸方向における位置決め用の座面部と、前記本体部の上面における前記挿入孔の縁近傍に突設され、押圧することにより前記挿入孔に挿入された光源の上面に被さるように塑性変形する突部と、を備え、前記凸状部は、前記本体部の上面視で、当該凸状部と前記挿入孔の中心とを囲う領域と、前記突部と前記挿入孔の中心とを囲う領域と、が重なり合わない位置に配設されることを特徴とする。
【００１０】
請求項６に記載の発明は、レーザ走査光学装置であって、半導体レーザ光を出射可能な
光源を保持する請求項１〜５の何れか１項に記載の光源保持ホルダと、前記光源より出射される半導体レーザ光を平行光化する第一の光学系と、前記第一の光学系により平行光化された半導体レーザ光を副走査方向について収束光に変換する第二の光学系と、前記第二の光学系により収束光に変換された半導体レーザ光を偏向する偏向器と、前記偏向器にて偏向された半導体レーザ光を感光体上に集光する第三の光学系と、を備えることを特徴とする。
【００１１】
請求項７に記載の発明は、画像形成装置であって、請求項６に記載のレーザ走査光学装置を備えたことを特徴とする。
【発明の効果】
【００１２】
したがって、本発明は、光源を光源保持ホルダにかしめ固定する際の、取付座面の位置ずれを抑えた光源保持ホルダ、レーザ走査光学装置、及び画像形成装置を提供することができる。
【図面の簡単な説明】
【００１３】
【図１】本発明の実施形態１に係る画像形成装置の概略構成を示す図である。
【図２】図１に示す画像形成装置に備わるレーザ走査光学装置の概略構成を示す図である。
【図３】図２のレーザ走査光学装置に備わる光源保持ホルダ及び光源の構造を模式的に表し、光源を光源保持ホルダにかしめ固定する前の状態を例示した図である。
【図４】図３に示す光源保持ホルダ及び光源において、光源を光源保持ホルダにかしめ固定した後の状態を例示した図である。
【図５】図３のＶ-Ｖ断面図である。
【図６】図３に示す光源保持ホルダの、光源を装着する前の状態を例示した図である。
【図７】図３に示す光源保持ホルダ及び光源の上面図である。
【図８】図４のＶＩＩＩ-ＶＩＩＩ断面図である。
【図９】本発明の実施形態２に係る光源保持ホルダを例示した図である。
【図１０】図９に示す光源保持ホルダの変形例１を例示した図である。
【図１１】図９に示す光源保持ホルダの変形例２を例示した図である。
【発明を実施するための形態】
【００１４】
以下、実施形態１に係る画像形成装置について、図１〜図８を参照して説明する。
【００１５】
本実施形態に係る画像形成装置１０００は、例えば、複写機やプリンタ等として用いられ、図１に示すように、シアン色、マゼンタ色、イエロー色、ブラック色の各色ごとに設けられた複数のレーザ走査光学装置１と、レーザ走査光学装置１に応じて設けられた感光体ドラム等の感光体２００と、中間転写ベルト３００と、転写ローラ４００と、定着部５００と、等を備えて構成される。
【００１６】
当該画像形成装置１０００は、レーザ走査光学装置１より照射されるレーザ光によって感光された感光体２００でトナー像を形成して、中間転写ベルト３００上に当該トナー像を転写させる。さらに、画像形成装置１０００は、中間転写ベルト３００に転写されたトナー像を転写ローラ４００によって用紙Ｐに押圧して転写させ、定着部６によって当該用紙Ｐを加熱及び加圧することで、トナー像を用紙Ｐ上に定着する。そして、画像形成装置１０００は、当該用紙Ｐを排紙ローラ（図示省略）等により搬送してトレイ（図示省略）に排紙することで画像形成処理を行う。
【００１７】
ここで、レーザ走査光学装置１は、図２に示すように、感光体２００へ向けて出射したレーザ光Ｌで感光体２００を感光するための光学ハウジング２で構成される。当該レーザ走査光学装置１は、複数のレーザ光Ｌを感光体２００に同時に照射して、複数の走査ラインを同時に走査するマルチビーム方式が用いられる。
【００１８】
光学ハウジング２は、内部に、レーザ光Ｌを出射させる光源部１０と、光源部１０より出射されたレーザ光Ｌを平行光化させる第一の光学系１００と、第一の光学系１００を透過したレーザ光Ｌの副走査方向成分のみを収束させる第二の光学系１１０と、第二の光学系１１０を透過したレーザ光Ｌを偏向させる偏向器１２０と、偏向器１２０により偏向されたレーザ光Ｌを集光させる第三の光学系１３０と、偏向器１２０により偏向されたレーザ光Ｌの一部を集光させる第四の光学系１４０と、第四の光学系１４０を透過したレーザ光Ｌを入力するセンサ１５０と、を備える。
【００１９】
光源部１０は、直線状に配置された複数の光源１１と、各々の光源１１を保持する光源保持ホルダ２０と、を含んで構成される。
光源１１は、レーザ光Ｌを出射させる半導体レーザである。
光源保持ホルダ２０は、光源１１を保持するためのホルダであり、装着された光源１１をかしめ固定する。
ここで、光源保持ホルダ２０が光源１１をかしめ固定する構成については後述する。
【００２０】
第一の光学系１００は、コリメータレンズなどを含んで構成され、光源部１０より出射されたレーザ光を平行光化する。
第二の光学系１１０は、スリットやシリンドリカルレンズを含んで構成される。そして、第二の光学系１１０は、スリットにより、感光体２００上でビームスポットが整形されるように、第一の光学系１００により平行光化されたレーザ光Ｌの透過量を制限する。また、第二の光学系１１０は、シリンドリカルレンズにより、第一の光学系１００により平行光化されたレーザ光Ｌの副走査方向成分のみを収束させる。
【００２１】
偏向器１２０は、側面が鏡面からなる多角柱形状をしたポリゴンミラーと、ポリゴンミラーに回動力を付与して当該ポリゴンミラーを回動させるモータを含む。偏向器１２０は、第二の光学系１１０を透過したレーザ光Ｌを回転に応じた向きに偏向させる。そして、偏向器１２０は、当該偏向させたレーザ光Ｌを第三の光学系１３０を介して感光体２００の周面に照射する。この際、偏向器１２０は、回転位置に応じて感光体２００の長手方向の異なる位置にレーザ光Ｌを照射するため、主走査方向（図２における感光体２００の長手方向）へのレーザ光Ｌの走査を可能にする。
【００２２】
第三の光学系１３０は、偏向器１２０で偏向されたレーザ光Ｌを感光体２００表面に結像させる。
【００２３】
第四の光学系１４０は、シリンドリカルレンズなどを含んで構成される。そして、第四の光学系１４０は、偏向器１２０により偏向されたレーザ光Ｌの一部を集光して、当該集光したレーザ光Ｌをセンサ１５０に入射させる。
センサ１５０は、第四の光学系１４０により集光されたレーザ光Ｌを検出する光センサである。そして、レーザ走査光学装置１を備えた画像形成装置１０００の制御部（図示省略）は、当該センサ１５０より検出される検出信号に基づいて、感光体２００への書き出し位置のタイミング調整などを行う。
【００２４】
（光源保持ホルダが光源を固定する構成）
次に、図３〜図８を用いて、光源保持ホルダ２０が光源１１を固定する構成を説明する。なお、以下の説明では、図３に示す略円筒形状からなる光源保持ホルダ２０の軸方向をＺ軸方向とする。また、光源保持ホルダ２０において、突起部３１〜３３（突部）が設けられた側を上側、上側と反対方向を下側、光源保持ホルダ２０を拡径する方向を外側、光源保持ホルダ２０を縮径する方向を内側、と便宜上定める。
【００２５】
光源保持ホルダ２０は、図３及び図４に示すように、光源１１を装着した状態で、本体部２８の上面に形成された３つの突起部３１〜３３をかしめ治具が押圧して、光源１１の上面に被さるようにかしめる（塑性変形させる）ことで当該光源１１をかしめ固定する。
【００２６】
ここで、光源１１は、図３〜図５に示すように、円柱形状をなす本体部１２と、本体部１２の上部に設けられ当該本体部１２より大きな径からなる円柱形状のフランジ部１３と、フランジ部１３の上面に形成された端子１５と、で構成される。
【００２７】
光源保持ホルダ２０は、図６に示すように、円柱の中心に光源１１を挿入させるための挿入孔２１が貫通された略円筒形状の本体部２８を備える。また、本体部２８の上面における挿入孔２１の縁近傍には、上述の突起部３１〜３３が突設される。当該突起部３１〜３３は、上方へ向けて突起した円柱形状からなる。そして、突起部３１〜３３は、図４に示すように、かしめ治具により下向きに押圧されると、上下方向に収縮するとともに当該上下方向と直交する平面方向へ拡張するように塑性変形し、フランジ部１３の上端に被さって光源１１を固定する。
さらに、挿入孔２１には、フランジ部１３より僅かに大きな径からなり、フランジ部１３を嵌合させる環状の嵌合溝２２が形成される。当該嵌合溝２２の下端は、挿入させた（フランジ部１３を嵌合させた）光源１１の、Ｚ軸方向に対する位置決め用の取付座面である座面部２９が備わる。当該座面部２９は上向きに凸状の凸状部２３〜２５が３つ形成される。光源１１は、光源保持ホルダ２０に取付けられる際のＺ軸方向の位置が決められる。
【００２８】
ここで、図７に示すように、本体部２８の上面視で、各凸状部２３〜２５と挿入孔２１の中心Ｃとで囲われる領域をＳ１〜Ｓ３、各突起部３１〜３３と挿入孔２１の中心Ｃとで囲われる領域をＴ１〜Ｔ３とする。すると、図７より把握されるとおり、凸状部２３〜２５は、領域Ｓ１〜Ｓ３と領域Ｔ１〜Ｔ３とが相互に重なり合わない位置に配設される。
上記のように凸状部２３〜２５を配置するのは、突起部３１〜３３が押圧されて塑性変形した際に本体部２８内部で生ずる応力の影響を、凸状部２３〜２５が受けないようにするためである。つまり、図８に示すように、かしめ治具により突起部３１（〜３３）が押圧されて塑性変形した際、本体部２８内部には応力Ｐが生じる。この際、本体部２８内部の領域Ｔ１（〜Ｔ３）は当該応力Ｐの発生する位置近傍の領域に相当するため、凸状部２３〜２５が領域Ｔ１（〜Ｔ３）内に配置された場合、凸状部２３〜２５は応力Ｐの影響を受け易い。そのため、凸状部２３〜２５を、応力Ｐの影響を受け易い領域Ｔ１〜Ｔ３から離間した領域であるＳ１〜Ｓ３に配置することで、凸状部２３〜２５が応力Ｐの影響によって位置ずれを起こすことを抑止できる。
【００２９】
（かしめ固定動作）
次に、光源１１を光源保持ホルダ２０にかしめ固定する際の動作について説明する。
まず、図６に示す光源保持ホルダ２０の挿入孔２１へ光源１１を挿入する。この際、光源１１は、凸状部２３〜２５を介して、図３に示すようにＺ軸方向に位置決めされた状態で光源保持ホルダ２０に装着される。
次いで、突起部３１〜３３は、光源保持ホルダ２０の上方より下降させたかしめ治具に押圧されると、図４に示すように光源１１の上面に被さるように塑性変形することで、光源１１をかしめ固定する。この際、凸状部２３〜２５は、図７に示す領域Ｔ１〜Ｔ３から離間した領域である領域Ｓ１〜Ｓ３に配置されているので、突起部３１〜３３が押圧された際に本体部２８内部に生ずる応力の影響が少ない。
【００３０】
以上により、本実施形態に係る画像形成装置１０００に備わるレーザ走査光学装置１の光源保持ホルダ２０によると、取付座面である座面部２９に備わる凸状部２３〜２５は、領域Ｓ１〜Ｓ３と領域Ｔ１〜Ｔ３とが相互に重なり合わない位置に配設される。つまり、凸状部２３〜２５は、突起部３１〜３３が押圧されて塑性変形した際に生ずる応力の影響を受け易い領域Ｔ１〜Ｔ３から離間した領域である領域Ｓ１〜Ｓ３に配置されるので、位置ずれが好適に抑止される。
したがって、実施形態１に係る光源保持ホルダ２０、レーザ走査光学装置１、及び画像形成装置１０００は、光源を光源保持ホルダにかしめ固定する際の、取付座面の位置ずれを抑えた光源保持ホルダ、レーザ走査光学装置、及び画像形成装置であるといえる。
【００３１】
「実施形態２」
次いで、実施形態２に係る光源保持ホルダ２０ａについて説明する。なお、以下の光源保持ホルダ２０ａについて、実施形態１に係る光源保持ホルダ２０と同一の構成については同一の符号を付して説明を省略し、相違点のみを説明する。
【００３２】
図９に示すように、光源保持ホルダ２０ａは、嵌合溝２２に連接された３つの逃し溝４１ａ〜４３ａを凸状部２３〜２５の周囲に備える。当該逃し溝４１ａ〜４３ａは、凸状部２３〜２５の配設される位置と本体部２８の外周端とを結ぶように（挿入孔２１の中心Ｃと凸状部２３〜２５とを結ぶ半直線上に）形成される。そして、逃し溝４１ａ〜４３ａは、突起部３１〜３３下方の本体部２８を分離部４４ａ〜４６ａの３つに分離する。
【００３３】
このような構成を備えた光源保持ホルダ２０ａに対して、かしめ治具により突起部３１〜３３を押圧して塑性変形させた場合、図８で示した通り、光源保持ホルダ２０ａの内部には応力Ｐが生じる。ただし、当該応力Ｐは分離部４４ａ〜４６ａの内部で発生するため、逃し溝４１ａ〜４３ａと同一直線上に形成された凸状部２３〜２５は、当該応力Ｐの影響を好適に回避することができる。つまり、逃し溝４１ａ〜４３ａは、かしめ治具による押圧に起因した凸状部２３〜２５への応力の影響を軽減させるための溝であるといえる。
【００３４】
以上、本実施形態２に係る光源保持ホルダ２０ａによると、光源保持ホルダ２０と同様の効果が得られることは勿論、逃し溝４１ａ〜４３ａによって光源保持ホルダ２０よりも凸状部２３〜２５への応力の影響を一層好適に軽減させることができる。つまり、凸状部２３〜２５は、応力の影響による位置ずれの発生が一層確実に抑止される。
【００３５】
「変形例１」
次いで、実施形態２に係る光源保持ホルダ２０ａの変形例１について説明する。
光源保持ホルダ２０ａでは、逃し溝４１ａ〜４３ａを挿入孔２１の中心Ｃと凸状部２３〜２５とを結ぶ半直線上に設けたが、図１０の光源保持ホルダ２０ｂに示すように、本体部２８上部における各突起部３１〜３３の周面を取り囲むように逃し溝４１ｂ〜４３ｂを設けてもよい。
このような構成でかしめ治具により突起部３１〜３３を押圧して塑性変形させた場合、応力Ｐは本体部２８のうち逃し溝４１ｂ〜４３ｂで囲われた各突起部３１〜３３の直下で発生する。つまり、突起部３１〜３３と離間した位置に設けられる凸状部２３〜２５は、当該応力Ｐの影響を好適に回避することができる。
【００３６】
「変形例２」
次いで、実施形態２に係る光源保持ホルダ２０ａの変形例２について説明する。
光源保持ホルダ２０ａでは、逃し溝４１ａ〜４３ａを嵌合溝２２に連接させたが、図１１の光源保持ホルダ２０ｃに示すように、各突起部３１〜３３の一部に逃し溝４１ｃ〜４３ｃを設けてもよい。
当該逃し溝４１ｃ〜４３ｃは、各突起部３１〜３３の下端の一部（嵌合溝２２の上端の縁近傍）を切り欠いて形成される。そして、かしめ治具により突起部３１〜３３を押圧して塑性変形させた場合、応力Ｐは、本体部２８内部のうち逃し溝４１ｃ〜４３ｃにより切り欠かれた箇所を除く突起部３１〜３３と連接された部分で発生する。つまり、逃し溝４１ｃ〜４３ｃが形成されることで、本体部２８内部において少なくとも逃し溝４１ｃ〜４３ｃよりも外側の位置で応力Ｐが発生するため、応力Ｐの発生する位置と凸状部２３〜２５の位置とは十分に離間する。その結果、凸状部２３〜２５は、応力Ｐの影響を好適に回避することができる。
【００３７】
なお、以上の実施形態における記述は、本発明に係る好適な光源保持ホルダ、レーザ走査光学装置、及び画像形成装置の一例であり、これに限定されるものではない。
また、以上の実施形態における光源保持ホルダ、レーザ走査光学装置、及び画像形成装置を構成する各部の細部構成及び細部動作に関して本発明の趣旨を逸脱することのない範囲で適宜変更可能である。
【００３８】
具体的には、例えば、変形例１において、逃し溝４１ａ〜４３ａは、凸状部２３〜２５の配設される位置と本体部２８の外周端とを結ぶように形成したが、凸状部２３〜２５の周囲に設けたものであれば適宜の変更が可能である。例えば、図１０に示す突起部３１〜３３の周面を取り囲む逃し溝４１ｂ〜４３ｂの如く、逃し溝４１ａ〜４３ａを凸状部２３〜２５の周面を取り囲むような溝に形成してもよい。
【符号の説明】
【００３９】
１０００            画像形成装置
１                  レーザ走査光学装置
２                  光学ハウジング
１０                光源部
１１                光源
１２                本体部
１３                フランジ部
１４                底面
１５                端子
２０                光源保持ホルダ
２１                挿入孔
２２                嵌合溝
２９                座面部
２３〜２５          凸状部
３１〜３３          突起部（突部）
１００              第一の光学系
１１０              第二の光学系
１２０              偏向器
１３０              第三の光学系
１４０              第四の光学系
１５０              センサ
２００              感光体
２０ａ              光源保持ホルダ
４１ａ〜４３ａ      逃し溝（溝）
２０ｂ              光源保持ホルダ
４１ｂ〜４３ｂ      逃し溝（溝）
２０ｃ              光源保持ホルダ
４１ｃ〜４３ｃ      逃し溝（溝）
【図１】
2012108329.tif 000003
【図２】
2012108329.tif 000004
【図３】
2012108329.tif 000005
【図４】
2012108329.tif 000006
【図５】
2012108329.tif 000007
【図６】
2012108329.tif 000008
【図７】
2012108329.tif 000009
【図８】
2012108329.tif 000010
【図９】
2012108329.tif 000011
【図１０】
2012108329.tif 000012
【図１１】
2012108329.tif 000013